(57)【要約】【課題】静かな環境で使用できる静音ハードディスクドライブ装置を提供することにある。【解決手段】記録用ディスク、該記録用ディスクを回転駆動するためのモータ、該記録用ディスクから読み書きするためのヘッド及び電子回路基板を容器内に備えたハードディスクドライブにおいて、該容器又は／及び電子回路基板にヒートパイプを密着させ、該ヒートパイプが密着している前記金属容器の外周を防音材で覆った。【選択図】図１
2005353251.tif 000002
【特許請求の範囲】
【請求項１】
記録用ディスク、該記録用ディスクを回転駆動するためのモータ、該記録用ディスクから読み書きするためのヘッド及び電子回路基板を容器内に備えたハードディスクドライブにおいて、該容器又は／及び電子回路基板にヒートパイプを密着させ、該ヒートパイプが密着している前記金属容器の外周を防音材で覆ったことを特徴とするハードディスクドライブ装置。
【請求項２】
前記ヒートパイプを防音材で覆われているハードディスクドライブ装置の外側に突出させていることを特徴とする請求項１に記載のハードディスクドライブ装置。
【請求項３】
前記ヒートパイプとしてアルミ偏平細孔ヒートパイプを用いたことを特徴とする請求項１〜２に記載のハードディスクドライブ装置。
【請求項４】
前記防音材としてゴムを用いたことを特徴とする請求項１〜３に記載のハードディスクドライブ装置。
【請求項５】
前記防音材の周囲を熱伝導率の良い金属で覆い、かつ該金属と前記突出しているヒートパイプを密着させたことを特徴とする請求項１〜４に記載のハードディスクドライブ装置。
【請求項６】
前記ヒートパイプ又は／及び前記熱伝導率の良い金属にフィンを取り付けたことを特徴とする請求項１〜６に記載のハードディスクドライブ装置。
【請求項７】
前期突出しているヒートパイプを、ハードディスクドライブ装置を収納している筐体に密着させたことを特徴とするハードディスクドライブ装置。
【発明の詳細な説明】
【技術分野】
【０００１】  本願発明はコンピュータ等に用いられる静穏化されたデータを記録するためのハードディスクドライブ装置に関する。
【背景技術】
【０００２】  近年、ハードディスクドライブ装置を用いた電化製品が多くなってきている。例えば、パーソナルコンピュータや録音録画機器に用いられるるようになってきた。
従来のハードディスクドライブ装置は図６に示すように高速回転するモータ１を用いて単数もしくは複数の記録用ディスク３を高速回転し、ヘッド５でディスク３のデータを読込んだり、ディスク３にデータを書込んだりする構造となっている。該モータ１、ディスク３及びヘッド５は金属でできたケース７内に収納されており、該ケース７の外側には前記ハードディスクを制御するための基盤９が装着されている。さらに、外部の機器と基盤９で信号を交信するためのケーブルを接続するコネクター１１やハードディスクドライブ装置に電源を供給するためのコネクター１１が装着されている。しかしながら、従来のハードディスクドライブ装置の構造では高速回転するモータ１及びディスク３から大きな騒音が生じ、使用者に不快な思いをさせるという問題があった。これを解決するために特許文献１のような、ハードディスクを遮音材で覆うという構造のものがある。また特許文献２のように、遮音材の一部にファンを取り付けて強制的に空冷する方法があった。
【特許文献１】特表平１０−５００７９２号公報
【特許文献２】特開平１１−６６８３２号公報
【発明の開示】
【発明が解決しようとする課題】
【０００３】  しかしながら、ハードディスクドライブ装置を遮音材で覆った場合、高発熱するハードディスクドライブ装置から発生する熱を効率的に外部に放出することができずに、ハードディスクドライブ装置が使用限界温度を超えてしまい、ハードディスクドライブ装置が破壊してしまうという問題が生じた。また、遮音材の一部にファンを取り付けて強制的に空冷する場合、該ファンが、新たな騒音源になるばかりでなく、遮音材内の空気の取込み口や、該ファンからハードディスクドライブ装置からの騒音が漏れ出すという問題が生じる。
本件発明は、このような従来のハードディスクドライブ装置の問題点を鑑み、静かな環境で使用できる静音ハードディスクドライブ装置を提供することにある。
【課題を解決するための手段】
【０００４】  請求項１の発明によれば、記録用ディスク、該記録用ディスクを回転駆動するためのモータ、該記録用ディスクから読み書きするためのヘッド及び電子回路基板を容器内に備えたハードディスクドライブにおいて、該容器又は／及び電子回路基板にヒートパイプを密着させ、該ヒートパイプが密着している前記金属容器の外周を防音材で覆った。内部の電子機器との入出力信号及び電源コネクター部分は脳音材で覆わないようにするか、ケーブル部分が防音材で覆われた別部材の延長ケーブルを使用することができる。また、柔らかい材質の防音材を複数組み合わせる場合は、防音材の接合部からケーブルをハードディスクドライブから出すことができる。
請求項２の発明によれば、前記ヒートパイプを防音材で覆われているハードディスクドライブ装置の外側に突出させている。
請求項３の発明によれば、前記ヒートパイプとしてアルミ偏平細孔ヒートパイプを用いた。
請求項４の発明によれば、前記防音材としてゴムを用いた。また、ゴム以外の防音材としては、グラスウール、発泡体（ウレタン、ポリエチレン等）、合板、木材、石膏ボード等を使用することができる。
請求項５の発明によれば、前記防音材の周囲を熱伝導率の良い金属で覆い、かつ該金属と前記突出しているヒートパイプを密着させた。熱伝導率の良い金属としては、純アルミニウム、純銅やこれらの合金がある。
請求項６の発明によれば、前記ヒートパイプ又は／及び前記熱伝導率の良い金属にフィンを取り付けた。フィンとしてはコルゲートフィン、剣山フィンがある。
請求項７の発明によれば、前期突出しているヒートパイプを、ハードディスクドライブ装置を収納している筐体に密着させた。
【発明の効果】
【０００５】  請求項１の発明によれば、記録用ディスク、モータ、読み書き用ヘッド及び電子回路基板を金属容器内に備えたハードディスクドライブにおいて、該金属容器又は／及び電子回路基板にヒートパイプを密着させ、該ヒートパイプが密着している前記金属容器の外周を防音材で覆ったことにより、ハードディスクドライブから発生する音が外に漏れることを抑えることができ、ハードディスクドライブ装置内にこもっている熱をヒートパイプで金属容器に拡散し、部分的に高温になりハードディスクドライブ装置が破壊しないようにできる。
請求項２の発明によれば、前記ヒートパイプを防音材で覆われているハードディスクドライブ装置の外側に突出させていることにより、用意にハードディスクドライブ装置内部に溜まっている熱をハードディスクドライブ装置外に放出することができる。
請求項３の発明によれば、前記ヒートパイプとしてアルミ偏平細孔ヒートパイプを用いたことにより、ハードディスクの姿勢に関係なく良好に放熱することができる。
請求項４の発明によれば、前記防音材としてゴムを用いたことにより、防音効果と共にハードディスクドライブの振動がケースに伝播した騒音を抑えることができる。
請求項５の発明によれば、前記防音材の周囲を熱伝導率の良い金属で覆い、かつ該金属と前記突出しているヒートパイプを密着させたことにより、効率的にハードディスクドライブ装置内に溜まっている熱を前記金属に伝播することにより外部に放出することができる。
請求項６の発明によれば、前記ヒートパイプ又は／及び前記熱伝導率の良い金属にフィンを取り付けたことにより、効率的にハードディスクドライブ装置内に溜まっている熱を外部に放出することができる。
請求項７の発明によれば、前期突出しているヒートパイプを、ハードディスクドライブ装置を収納している筐体に密着させたことにより、該筐体を放熱部材とすることができ、効率的にハードディスクドライブ装置内に溜まっている熱を外部に放出することができる。
【発明を実施するための最良の形態】
【０００６】  次に、本発明の実施例について、図面を参照して説明する。
図１は、本件発明の静音ハードディスクドライブ装置の第一実施例である。本実施例では一般に市場で規格化されている２．５インチハードディスクドライブ及び３．５インチハードディスクドライブのうち２．５インチハードディスクドライブを用いた場合の実施例を示す。１０１は静音ハードディスクドライブ装置をパーソナルコンピュータや画像録画機器等に装着するための取り付け金具である。該取付金具１０１は両端部が折り曲げられており、該折り曲げ部を壁としてゴム容器部材１３１が配置される。次に２．５インチハードディスクドライブの底面と上面が各ゴム部材と密着するように、ゴム底部材１０３が配置される。さらに該ゴム底部材１０３の上に記録用ディスク、モータ、読み書き用ヘッド及び電子回路基板を金属容器内に備えた２．５インチハードディスクドライブ主要部１０９側面がゴム部材と密着するように側面ゴム部材１０５が配置される。該ゴム底部材１０３と側面ゴム部材１０５で形成された窪みの中にハードディスクドライブ主要部１０９が装着される。該ハードディスクドライブ主要部１０９装着後にゴム天部材１０７で蓋がされ、ハードディスクドライブ主要部は完全にゴムで覆われ、内部のモータやディスクから発生する音を遮断することができる。【０００７】  ゴム部材間の接合は、接着剤で行い、取付金具１０１とゴム部材間の接合は、ハードディスクドライブ装置をパーソナルコンピュータや画像録画機器に装着する際に該ゴムに埋め込まれているナット１１１と取付金具１０１のボルト用穴１１３とを合わせ、該ナット１１１にボルト１１５を装着することにより固定される。ゴム天部材１０７とハードディスクドライブ主要部１０９の間には長尺のヒートパイプ１２１がハードディスクドライブ主要部１０９に密着して配置されている。該長尺のヒートパイプ１２１がハードディスクドライブ主要部１０９の金属容器の密着には多少の窪みがあっても密着性の高い熱伝導シートが用いられている。またシリコングリースでも隙間を埋めることができれば使用できる。長尺のヒートパイプ１２１の他端部はゴム部材外部に突出している。ゴム天部材１０７のハードディスクドライブ主要部１０９と反対側には銅板等の熱伝導率の良い材質でできた蓋１２３がボルト１２５とゴム天部材１０７に埋め込まれたナット１２７により固定されている。該蓋１２３にはゴム部材外部に突出している長尺のヒートパイプ１２１が密着している。これによりゴム部材内に溜まっている熱をヒートパイプ１２１で外部に移送し、蓋１２３に伝播して放熱することにより、ハードディスクドライブ装置が熱で破壊しないようにできる。また、信号及び電源ケーブルは柔らかい材質のゴムを用いているので防音用ゴム部材間の任意の接触部から接続しても柔らかい材質のゴム部材がケーブルの形状に応じて変形しかつケーブルに密着するので、防音効果はほとんど変化しない。【０００８】  本実施例においては、市場において規格化されている２．５インチハードディスクドライブを防音するために、市場において規格化されている３．５インチハードディスクドライブに防音部材１０３、１０７を付加することにより２．５インチハードディスクドライブにも使用することができるようにして��る。つまり、２．５インチハードディスクドライブと３．５インチハードディスクドライブ用の主要部品を共通化することによりコスト削減をすることもできる。【０００９】  本実施例では共通部品化した２．５インチハードディスクドライブと３．５インチハードディスクドライブ装置を示したが、２．５インチハードディスク専用の防音部材を製作しても、ハードディスクドライブの金属容器そのものを防音部材で製作してもよい。【００１０】  図２は、本件発明の第二実施例である。
２０１は防音部材で覆われたハードディスクドライブ装置であり２０３は該防音部材の内部から熱を外部に伝播するためのヒートパイプである。該ヒートパイプにはフィン２０５が密着されており、放熱効率が上がっている。【００１１】  図３は、本件発明の第三実施例である。
３０１は防音部材で覆われたハードディスクドライブ装置であり３０７は該防音部材の内部から熱を外部に伝播するためのヒートパイプである。該ヒートパイプ３０７には、ハードディスクドライブ装置を収納している電気・電子機器筐体３０５に熱伝導シートやシリコングリースを介して別のヒートパイプ３０３で密着させてあり、電気・電子機器筐体３０５にハードディスクドライブ装置の熱を伝導することにより、放熱効率が上がっている。【００１２】  図４及び図５は、ヒートパイプの実施例を示した。
本実施例による細孔トンネルプレート型ヒートパイプは、例えば図４及び５の様な蛇行細孔トンネルプレート型ヒートパイプもしくは平行細孔トンネルプレート型ヒートパイプで構成されている。蛇行細孔トンネルプレート型ヒートパイプもしくは平行細孔トンネルプレート型ヒートパイプは、アルミニウムやマグネシウム等の軽金属の多孔扁平管を用いる。この多孔扁平管５１（６１）は、全体として平板状の外形を有し、内部に平行に配置された多数の貫通細孔５７ａ及び５７ｂ（６８ａ及び６８ｂ）が押し出し成形により形成されている。貫通細孔の端面の隔壁を所定の深さだけ切除し、反対側の端面でも切除する。各細孔は端部で連通して熱媒体通路を構成し、蛇行トンネルもしくは平行細孔トンネルとなり、ここに作動流体が封入される。【００１３】  なお、ここで、蛇行細管ヒートパイプとは、以下の特性を有するヒートパイプのことである（特開平４−１９００９０号参照）。
（１）細管（熱媒体通路）の両端末が相互に流通自在に連結されて密閉されている。
（２）細管のある部分は受熱部、他のある部分は放熱部となっている。
（３）受熱部と放熱部が交互に配設されており、両部の間を細管が蛇行している。
（４）細管内には２相凝縮性作動流体が封入されている。
（５）細管の内壁は、上記作動流体が常に管内を閉塞した状態のままで循環又は移動することが出来る最大流体直径以下の直径である。
このような細管ヒートパイプを用いることにより、発熱体への細管ヒートパイプの取り付け姿勢に関係なく熱輸送させることができる。【００１４】  該ヒートパイプを用いることによりハードディスクドライブ装置の姿勢で放熱効率に影響をほとんど受けないハードディスクドライブ装置を構成することができる。
【図面の簡単な説明】
【００１５】
【図１】本件発明の第一実施例の組立図である。
【図２】本件発明の第二実施例である。
【図３】本件発明の第三実施例の組立図である。
【図４】本件発明に使用する蛇行細管ヒートパイプである。
【図５】本件発明に使用する平行細管ヒートパイプである。
【図６】従来のハードディスクドライブ装置である。
【符号の説明】
【００１６】  １０１  取付金具
１０３  ゴム底部材
１０５  側面ゴム部材
１０７  ゴム天部材
１０９  ハードディスクドライブ主要部
１１１、１２７  ナット
１１３  ボルト用穴
１１５、１２５  ボルト
１２１、２０３、３０３  長尺のヒートパイプ
１２３  蓋
１３１  防音部材
２０１、３０１  ハードディスクドライブ装置
３０５  筐体
【図１】
2005353251.tif 000003
【図２】
2005353251.tif 000004
【図３】
2005353251.tif 000005
【図４】
2005353251.tif 000006
【図５】
2005353251.tif 000007
【図６】
2005353251.tif 000008